(57)【要約】      （修正有）【課題】ホーム基地局のセルに位置しかつそのホーム基地局に関連付けられていない移動端末が、その基地局から同期信号も制御信号も受信することができないことを回避する方法を提供する。【解決手段】ホーム基地局は基地局のセルに配置され、ホーム基地局は第１のトラッキングエリアに属し、基地局は、移動機が存在すると想定される第２のトラッキングエリアに属する。基地局及びホーム基地局は、第３のトラッキングエリアを識別する信号を、無線インターフェースを通じて転送し、第３のトラッキングエリアを識別する転送された信号に応答して、信号が移動端末から受信されたか否かを確認し、信号が移動端末から応答して受信された場合には、セル間干渉調整手順に入り、ホーム基地局によって転送される信号の送信を調整する。【選択図】図３
2013031166.tif 000002
【特許請求の範囲】
【請求項１】
無線インターフェースを通じてホーム基地局によって転送される信号の送信を調整する方法であって、
前記ホーム基地局は基地局のセルに配置され、
前記ホーム基地局は第１のトラッキングエリアに属し、
前記基地局は、移動機が存在すると想定される第２のトラッキングエリアに属する
方法において、
前記方法は、前記ホーム基地局によって実行される複数のステップとして、
‐前記第１のトラッキングエリア及び前記第２のトラッキングエリアと異なりかつ前記基地局及び前記ホーム基地局が属しない第３のトラッキングエリアを識別する信号を、前記無線インターフェースを通じて転送するステップと、
‐前記第３のトラッキングエリアを識別する前記転送された信号に応答して、信号が前記移動端末から受信されたか否かを確認するステップと、
‐前記信号が前記移動端末から応答して受信された場合には、セル間干渉調整手順に入るステップと、
を含むことを特徴とする方法。
【請求項２】
前記第１のトラッキングエリア及び前記第２のトラッキングエリアは、異なるトラッキングエリアであることを特徴とする、請求項１に記載の方法。
【請求項３】
前記ホーム基地局は、前記移動端末ＭＴが前記信号をいずれのリソースで転送しなければならないのかを示す情報を、前記無線インターフェースを通じて更に転送することを特徴とする、請求項１又は２に記載の方法。
【請求項４】
複数のホーム基地局が前記基地局の前記セルに配置されることを特徴とし、
前記第３のトラッキングエリアを識別する信号は、少なくとも２つのホーム基地局によって転送されることを特徴とする、
請求項１〜３のいずれか１項に記載の方法。
【請求項５】
前記方法は、前記ホーム基地局が前記干渉調整手順に入ると実行される更なるステップであって、
‐前記第３のトラッキングエリアを識別する信号の、前記無線インターフェースを通じた前記転送を中断するステップ、
を含むことを特徴とする、請求項１〜４のいずれか１項に記載の方法。
【請求項６】
前記方法は、前記第３のトラッキングエリアを識別する信号の前記転送が中断されると実行される更なる複数のステップとして、
‐前記第１のトラッキングエリア及び前記第２のトラッキングエリアと異なる１つのトラッキングエリアを識別する信号に応答して、信号が１つの移動端末から受信されたか否かを確認するステップと、
‐前記信号が１つの移動端末から受信された場合には、前記セル間干渉調整手順を解除するステップと、
を含むことを特徴とする、請求項１〜５のいずれか１項に記載の方法。
【請求項７】
前記方法は、前記第３のトラッキングエリアを識別する前記転送された信号に応答して前記移動端末から受信された前記信号の受信電力を測定する更なるステップを含むことを特徴とし、
前記セル間干渉調整手順に前記入ることは、前記測定された受信電力に従って更に決定されることを特徴とする、請求項１〜５のいずれか１項に記載の方法。
【請求項８】
前記方法は、前記ホーム基地局と前記基地局の前記セルに配置された他のホーム基地局とをリンクするネットワークを通じて、前記ホーム基地局が前記セル間干渉調整手順に入ることを示すメッセージを前記他のホーム基地局に転送する更なるステップを含むことを特徴とする、請求項１〜５及び７に記載の方法。
【請求項９】
前記方法は、
‐前記他のホーム基地局のうちの１つから、前記他のホーム基地局が前記セル間干渉調整手順に入ることを示すメッセージを受信する更なるステップと、
‐前記メッセージが前記他のホーム基地局から受信されると、前記セル間干渉調整手順を解除する更なるステップと、
を含むことを特徴とする、請求項８に記載の方法。
【請求項１０】
前記ホーム基地局は、１つの移動端末が前記基地局と通信しているか否かを検出するために、前記セル間干渉調整手順を解除する前に、前記ホーム基地局と通信することを認可されていない移動端末によって転送されたアップリンク信号の電力を監視することを特徴とする、請求項１〜９のいずれか１項に記載の方法。
【請求項１１】
前記方法は、前記ホーム基地局が前記干渉調整手順に入ると実行される更なるステップであって、所定の継続時間後に前記セル間干渉調整手順を解除するステップを含むことを特徴とする、請求項１〜１０のいずれか１項に記載の方法。
【請求項１２】
前記セル間干渉調整手順が解除されると、前記ホーム基地局は、
‐前記第１のトラッキングエリア及び第２のトラッキングエリアと異なりかつ前記基地局及び前記ホーム基地局が属しない前記第３のトラッキングエリアを識別する信号を、前記無線インターフェースを通じて転送するステップと、
‐前記第３のトラッキングエリアを識別する前記転送された信号に応答して信号が前記移動端末から受信されたか否かを確認するステップと、
‐前記信号が前記移動端末から応答して受信された場合には、前記セル間干渉調整手順に入るステップと、
を実行することを特徴とする、請求項６、９又は１１に記載の方法。
【請求項１３】
無線インターフェースを通じてホーム基地局によって転送される信号の送信を調整するデバイスであって、
前記ホーム基地局は基地局のセルに配置され、
前記ホーム基地局は第１のトラッキングエリアに属し、
前記基地局は、移動機が存在すると想定される第２のトラッキングエリアに属する
デバイスにおいて、
前記ホーム基地局によって転送される前記信号の前記送信を調整する前記デバイスは、前記ホーム基地局に含まれ、
前記デバイスは、
‐前記第１のトラッキングエリア及び前記第２のトラッキングエリアと異なりかつ前記基地局及び前記ホーム基地局が属しない第３のトラッキングエリアを識別する信号を、前記無線インターフェースを通じて転送する手段と、
‐前記第３のトラッキングエリアを識別する前記転送された信号に応答して、信号が前記移動端末から受信されたか否かを確認する手段と、
‐前記信号が前記移動端末から応答して受信された場合には、セル間干渉調整手順に入る手段と、
を備えることを特徴とするデバイス。
【発明の詳細な説明】
【技術分野】
【０００１】
本発明は、概して、無線インターフェースを通じてホーム基地局によって転送される信号の送信を調整する方法及びデバイスに関する。
【背景技術】
【０００２】
無線セルラー通信ネットワークは、大規模に展開されているが、依然として、無線セルラー通信ネットワークの基地局によってカバーされていない幾つかのエリアが存在する。基地局は、所与の計画に従って事業者によって展開される。
【０００３】
例えば、基地局及び／又は移動端末によって放射された信号が減衰されすぎる場合には、無線セルラー通信ネットワークへのアクセスは、可能でない場合もあるし、高すぎる送信電力又は低すぎるスペクトル効率（すなわち、建物内に位置する移動端末にとって多すぎるシステムリソース）を要する場合もある。
【０００４】
特定の基地局（ホーム基地局若しくはフェムト基地局若しくはピコ基地局又は中継器のように、必ずしも事業者によって展開されるとは限らず、したがって、所与の計画に従うとは限らないもの）が、建物及び基地局オフロード（base station offload）内でカバレッジエリアを提供するために、建物内に設置される場合がある。中継器は、屋外のカバレッジ拡張をもたらすこともできる。
【０００５】
ホーム基地局又はフェムト基地局は、限られたカバレッジエリアを提供する。
【０００６】
継続的なカバレッジエリアサイズの縮小及びスペクトル効率の増加に起因して、セル間干渉が主要な問題になっている。セル間干渉調整（ＩＣＩＣ）技法は、セル間干渉問題を緩和することを目的としている。従来、移動端末は、該移動端末が現在サービングされている基地局に、該移動端末が近隣の(neighbouring)基地局及び／又はホーム基地局から受けている干渉を報告する。基地局は、効率的なＩＣＩＣを可能にするために相互間でメッセージも交換する。しかしながら、基地局間メッセージには、基地局間のリンクの確立が必要とされる。基地局とホーム基地局との間又はホーム基地局間の同じリンクは、場合によっては確立することができない。
【０００７】
ホーム基地局の大量の展開によって、基地局と、該基地局のカバレッジエリア内に配置された全てのホーム基地局との間にそのようなリンクを有することが妨げられる。リンクが存在する場合であっても、これらのリンク上のメッセージの量は、コアネットワークに過度の負担をかけないように可能な限り少なくしなければならない。これらのホーム基地局は、基地局と強く干渉する場合があり、カバレッジホールを生み出す場合さえある。
【０００８】
ホーム基地局は、限られた数の移動端末が、そのそれぞれのリソースを通じて無線セルラー通信ネットワークにアクセスすることを可能にすることができる。ホーム基地局を通じて無線セルラー通信ネットワークのリソースにアクセスすることを許可される移動端末は、ホーム基地局の所有者によって、ネットワークによって、又はそれらの組合せによって、決定することができる。
【０００９】
ここで、所有者とは、一般的な意味に理解されなければならない。所有者は、ホーム基地局の主なユーザーのみの場合もあるし、所有者は、ホーム基地局を賃借している人の場合もあるし、所有者は、所有者の自宅又はオフィスにホーム基地局を収容している人の場合もある。
【００１０】
例えば、ホーム基地局の所有者及びその家族の移動端末のみが、該ホーム基地局を通じて無線セルラー通信ネットワークにアクセスすることができる。これらの移動端末は、ホーム基地局に関連付けられている。これらの移動端末は、識別子のリスト（例えば、ホーム基地局の限定加入者グループ(Closed Subscriber Group)（ＣＳＧ）と呼ばれるもの）に従って識別される。
【００１１】
基地局は、多数の移動端末が、そのそれぞれのリソースを通じて無線セルラー通信ネットワークにアクセスすることを可能にする。基地局を通じてネットワークのリソースにアクセスすることを許可される移動端末は、無線セルラー通信ネットワークの事業者が決定することができる。
【００１２】
ホーム基地局を通じた無線セルラー通信ネットワークのリソースへのアクセスの許可は、ホーム基地局、無線セルラー通信ネットワークのコアネットワークデバイス、または移動端末が決定することができる。移動端末がホーム基地局に関連付けられていない場合、すなわち、そのホーム基地局の識別子がその移動端末のＣＳＧリストに含まれていない場合には、移動端末は、単独で、そのホーム基地局によって転送された信号に応答しないことを決定することができる。
【００１３】
基地局のセルは、通常、ホーム基地局のセルよりもはるかに大きい。
【００１４】
建物内では、ホーム基地局がそのセル（単数又は複数）内で信号を放射すると、ホーム基地局によって放射された信号は、基地局（ただし、その基地局のセルのうち１つがそのホーム基地局の単数又は複数のセルをカバーするもの）によって放射された信号と干渉する場合がある。
【００１５】
この干渉レベルは、アイドルモードにありかつホーム基地局の１つのセルに位置する移動端末が、基地局からの同期信号も制御信号も受信することができないほど大きい場合がある。
【００１６】
その状況は、移動端末がホーム基地局のＣＳＧに属していないとき又はホーム基地局が移動端末のＣＳＧリストに属していないときに問題を生じる。
【００１７】
接続を自律的に開始するために無線セルラー通信ネットワークへの接続を試みるとき又は呼び出し(paging)の後に、移動端末は、ホーム基地局のＣＳＧに属していないのでホーム基地局によって拒絶され、高すぎる干渉のために基地局を接続することができない。
【先行技術文献】
【特許文献】
【００１８】
【特許文献１】米国特許出願公開第２０１１／１０５１３５号
【発明の概要】
【発明が解決しようとする課題】
【００１９】
本発明は、ホーム基地局のセルに位置しかつそのホーム基地局に関連付けられていない移動端末が、その基地局から同期信号も制御信号も受信することができないことを回避することを目的とする。
【課題を解決するための手段】
【００２０】
そのため、本発明は、無線インターフェースを通じてホーム基地局によって転送される信号の送信を調整する方法であって、
前記ホーム基地局は基地局のセルに配置され、
前記ホーム基地局は第１のトラッキングエリアに属し、
前記基地局は、移動機が存在すると想定される第２のトラッキングエリアに属する
方法において、
前記方法は、前記ホーム基地局によって実行される複数のステップとして、
‐前記第１のトラッキングエリア及び前記第２のトラッキングエリアと異なりかつ前記基地局及び前記ホーム基地局が属しない第３のトラッキングエリアを識別する信号を、前記無線インターフェースを通じて転送するステップと、
‐前記第３のトラッキングエリアを識別する前記転送された信号に応答して、信号が前記移動端末から受信されたか否かを確認するステップと、
‐前記信号が前記移動端末から応答して受信された場合には、セル間干渉調整手順に入るステップと、
を含むことを特徴とする方法に関する。
【００２１】
本発明は、無線インターフェースを通じてホーム基地局によって転送される信号の送信を調整するデバイスであって、
前記ホーム基地局は基地局のセルに配置され、
前記ホーム基地局は第１のトラッキングエリアに属し、
前記基地局は、移動機が存在すると想定される第２のトラッキングエリアに属する
デバイスにおいて、
前記ホーム基地局によって転送される前記信号の前記送信を調整する前記デバイスは、前記ホーム基地局に含まれ、
前記デバイスは、
‐前記第１のトラッキングエリア及び前記第２のトラッキングエリアと異なりかつ前記基地局及び前記ホーム基地局が属しない第３のトラッキングエリアを識別する信号を、前記無線インターフェースを通じて転送する手段と、
‐前記第３のトラッキングエリアを識別する前記転送された信号に応答して、信号が前記移動端末から受信されたか否かを確認する手段と、
‐前記信号が前記移動端末から応答して受信された場合には、セル間干渉調整手順に入る手段と、
を備えることを特徴とするデバイスにも関する。
【００２２】
したがって、第３のトラッキングエリアを識別する信号を送信することによって、ホーム基地局は、トラッキングエリア更新手順を実行するために、アイドルモードでそのホーム基地局のカバレッジエリアに入りつつある移動端末が、第３のトラッキングエリアを識別する転送された信号に応答して信号を送信することを強制的なものにする。
【００２３】
トラッキングエリアはセルの集合である。移動端末がトラッキングエリアに位置していることがわかっている場合、該トラッキングエリアの全てのセルにおいて呼び出し信号を送信することによって移動端末に到達することができる。移動端末は、セルサーチ及びシステム情報復号を通じて、新しいトラッキングエリアに移動したことを検出すると、トラッキングエリア更新手順を通じて無線セルラー通信ネットワークに知らせなければならない。
【００２４】
したがって、トラッキングエリア更新手順によって、無線セルラー通信ネットワークにおいてアイドルモードにある移動端末を突き止めることが可能になる。
【００２５】
実際に、アイドルモードにある移動端末は、基地局にもホーム基地局にも接続されておらず、信号を定期的に転送しない。したがって、アイドルモードにある移動端末を容易に突き止めることは不可能であり、本発明は、既存の手順（例えば３ＧＰＰ  ＬＴＥ（第３世代パートナーシッププロジェクトロングタームエボリューション）仕様書のもの）を通じてこれを可能にする。
【００２６】
さらに、移動端末がアイドルモードでなくなり無線セルラー通信ネットワークに接続する必要がある場合において、移動端末がホーム基地局に関連付けられていないときに、ホーム基地局のカバレッジ下であっても、セル間干渉手順に入ることによって、アイドルモードにある移動端末の検出後、移動端末と基地局との間の信頼できる通信を確保することが可能になる。
【００２７】
さらに、ホーム基地局に関連付けられていない移動端末がホーム基地局カバレッジエリアに入るときのみセル間干渉手順に入ることによって、残りの時間分、ホーム基地局に対して性能の改善が保証される（そうでなければ、ホーム基地局におけるセル間干渉手順がホーム基地局の性能を低減するからである）。
【００２８】
特定の特徴によれば、前記第１のトラッキングエリア及び前記第２のトラッキングエリアは異なるトラッキングエリアであるか、又は前記第２のトラッキングエリア及び前記第３のトラッキングエリアは同一である。
【００２９】
したがって、移動端末が関連付けられているホーム基地局のカバレッジ下に該移動端末が位置していないとき、多くのホーム基地局を通じて移動端末に呼び出しメッセージを送信する必要はない。
【００３０】
実際に、２つの異なるトラッキングエリアを有することによって、基地局のみを通じて、又はホーム基地局のみを通じて、呼び出しを送信することができる。
【００３１】
特定の特徴によれば、前記ホーム基地局は、前記移動端末ＭＴが前記信号をいずれのリソースで転送しなければならないのかを示す情報を、前記無線インターフェースを通じて更に転送する。
【００３２】
したがって、ホーム基地局において、第３のトラッキングエリアを識別する転送された信号に応答して移動端末から受信された信号を、第１のトラッキングエリア及び／又は第２のトラッキングエリアを識別する転送された信号に応答して他の移動端末から送信された他の信号と区別することが可能である。第１のトラッキングエリア、第２のトラッキングエリア及び第３のトラッキングエリアに対応する互いに異なるリソースを示すことは、可能でありかつ有益である。
【００３３】
特定の特徴によれば、複数のホーム基地局が前記基地局の前記セルに配置され、前記第３のトラッキングエリアを識別する信号は、少なくとも２つのホーム基地局によって転送される。
【００３４】
したがって、第３のトラッキングエリアを識別する転送された信号に応答して移動端末から受信される信号と同じものを、幾つかのホーム基地局において受信することができ、セル間干渉手順は、必要な場合には幾つかのホーム基地局において同時に開始することができる。
【００３５】
これによって、移動端末が遭遇する干渉は、単一のホーム基地局がセル間干渉手順に入る場合と比較して更に低減される。
【００３６】
これによって、基地局のセルに配置された幾つかのホーム基地局のカバレッジエリア間の移動性を容易にすることもできる。
【００３７】
最後に、異なるホーム基地局から同じ信号を送信することによって、各ホーム基地局における送信電力の低減、及びこれらの信号によって他のホーム基地局の信号に対し引き起こされる干渉の低減を促進することができる。
【００３８】
特定の特徴によれば、前記ホーム基地局が前記干渉調整手順に入ると、前記ホーム基地局は、前記第３のトラッキングエリアを識別する信号の、前記無線インターフェースを通じた前記転送を中断する。
【００３９】
したがって、第３のトラッキングエリアを識別する信号によって、他のホーム基地局によって転送される信号に対し引き起こされる干渉は、それらの信号の送信がもはや必要とされないときに回避される。
【００４０】
実際に、ホーム基地局がセル間干渉手順中である限り、アイドルモードにある移動端末の検出はもはや必要とされず、関連した信号の転送は必要とされない。
【００４１】
特定の特徴によれば、前記第３のトラッキングエリアを識別する信号の前記転送が中断されると、前記ホーム基地局は、
‐前記第１のトラッキングエリア及び前記第２のトラッキングエリアと異なる１つのトラッキングエリアを識別する信号に応答して、信号が１つの移動端末から受信されたか否かを確認し、
‐前記信号が１つの移動端末から受信された場合には、前記セル間干渉調整手順を解除する。
【００４２】
したがって、セル間干渉手順がもはや必要とされないとき、すなわち、そのセル間干渉手順が対象としているアイドルモードにある移動端末がホーム基地局のカバレッジエリアを去るときは、セル間干渉手順を解除することができる。
【００４３】
これが起こると、移動端末は、近隣の(neighbouring)ホーム基地局によって転送された信号に応答して、第１のトラッキングエリア及び第２のトラッキングエリアと異なる１つのトラッキングエリアを識別する信号を転送する。
【００４４】
したがって、この信号を用いると、ホーム基地局は、移動端末がそのホーム基地局のカバレッジエリアを去るものと仮定することができる。
【００４５】
特定の特徴によれば、ホーム基地局は、前記第３のトラッキングエリアを識別する前記転送された信号に応答して前記移動端末から受信された前記信号の受信電力を測定し、前記セル間干渉調整手順に前記入ることは、前記測定された受信電力に従って更に決定される。
【００４６】
したがって、ホーム基地局は、移動端末の性能に実質的な影響を与える場合にのみセル間干渉手順に入る。実際に、移動端末によって転送される信号が常に同じ電力で転送されるときは、受信信号電力が小さいほど、ホーム基地局によって移動端末に対し引き起こされる干渉は小さくなる。
【００４７】
特定の特徴によれば、前記ホーム基地局は、該ホーム基地局と前記基地局の前記セルに配置された他のホーム基地局とをリンクするネットワークを通じて、該ホーム基地局が前記セル間干渉調整手順に入ることを示すメッセージを前記他のホーム基地局に転送する。
【００４８】
したがって、セル間干渉手順がもはや必要とされないとき、すなわち、そのセル間干渉手順が対象としているアイドルモードにある移動端末がそのホーム基地局のカバレッジエリアを去るときは、セル間干渉手順を解除することができる。
【００４９】
ホーム基地局は、近隣のホーム基地局から信号を受信すると、移動端末がホーム基地局のカバレッジエリアを去るものと仮定することができる。
【００５０】
さらに、このメッセージが或る移動端末識別情報を含む場合、ホーム基地局のこの仮定は、より一層正確なものとなることができる。
【００５１】
特定の特徴によれば、前記ホーム基地局は、
‐前記他のホーム基地局のうちの１つから、該他のホーム基地局が前記セル間干渉調整手順に入ることを示すメッセージを受信し、
‐前記メッセージが前記他のホーム基地局から受信されると、前記セル間干渉調整手順を解除する。
【００５２】
したがって、セル間干渉手順がもはや必要とされないとき、すなわち、そのセル間干渉手順が対象としているアイドルモードにある移動端末がそのホーム基地局のカバレッジエリアを去るときは、セル間干渉手順は解除される。
【００５３】
ホーム基地局は、近隣のホーム基地局から信号を受信すると、移動端末がホーム基地局のカバレッジエリアを去るものと仮定することができる。
【００５４】
特定の特徴によれば、前記ホーム基地局は、前記セル間干渉調整手順を解除する前に、１つの移動端末が前記基地局と通信しているか否かを検出するために、該ホーム基地局と通信することを認可されていない移動端末によって転送されたアップリンク信号の電力を監視する。
【００５５】
したがって、セル間干渉手順は、基地局と通信している移動端末によってまだ必要とされているときは解除されない。これらの移動端末は、基地局に信号を定期的に送信するので、ホーム基地局によって容易に検出することができる。移動端末が検出されたときにセル間干渉手順を解除しないことによって、これらの移動端末について呼の廃棄(call dropping)を行うことが回避される。
【００５６】
特定の特徴によれば、前記ホーム基地局が前記干渉調整手順に入ると、前記ホーム基地局は、所定の継続時間後に前記セル間干渉調整手順を解除する。
【００５７】
したがって、セル間干渉調整手順が解除されるとき、ホーム基地局のカバレッジ下に存在しかつそのホーム基地局に関連付けられていない各移動端末は、基地局から信号をもはや受信しない。
【００５８】
したがって、上述の各移動端末は、トラッキングエリア更新を実行しなければならず、第３のトラッキングエリアを識別する信号に応答してＲＡＣＨ信号を送信しなければならない。少なくとも１つのそのような移動端末が存在する場合、ホーム基地局は、該移動端末のＲＡＣＨ信号を受信し、セル間干渉調整手順に再び入ることができる。そうでない場合、これは、セル間干渉手順が当分の間必要とされておらず、ホーム基地局がセル間干渉手順に留まる必要がないことを意味する。所定の継続時間後のこの検査によって、セル間干渉手順に不必要に留まることが回避され、ホーム基地局の性能改善が可能になる。
【００５９】
特定の特徴によれば、前記セル間干渉調整手順が解除されると、前記ホーム基地局は、
‐前記第１のトラッキングエリア及び第２のトラッキングエリアと異なりかつ前記基地局及び前記ホーム基地局が属しない前記第３のトラッキングエリアを識別する信号を、前記無線インターフェースを通じて転送し、
‐前記第３のトラッキングエリアを識別する前記転送された信号に応答して信号が前記移動端末から受信されたか否かを確認し、
‐前記信号が前記移動端末から応答して受信された場合には、前記セル間干渉調整手順に入る。
【００６０】
したがって、第３のトラッキングエリアを識別する信号の転送が、ホーム基地局がセル間干渉手順に入ったときに停止された場合には、この転送は、セル間干渉手順が解除されたときに再開することができる。したがって、ホーム基地局のカバレッジ下に存在しかつホーム基地局に関連付けられていない移動端末は、基地局から信号をもはや受信しないが、第３のトラッキングエリアを識別する信号は依然として受信する。したがって、移動端末は、トラッキングエリア更新を実行することができ、ホーム基地局におけるセル間干渉手順をトリガーするために、第３のトラッキングエリアを識別する信号に応答してＲＡＣＨ信号を送信することができる。
【００６１】
更に別の態様によれば、本発明は、プログラム可能デバイス内に直接ロード可能とすることができるコンピュータープログラムであって、該コンピュータープログラムがプログラム可能デバイスにおいて実行されると、本発明による方法のステップを実施する命令又はコード部を含む、コンピュータープログラムに関する。
【００６２】
コンピュータープログラムに関する特徴及び利点は、本発明による方法及びデバイスに関連して上記で述べたものと同じであるので、ここでは繰り返さないことにする。
【００６３】
本発明の特徴は、一例の実施形態の以下の説明を読むことによってより明らかになる。該説明は、添付図面に関して作成されたものである。
【図面の簡単な説明】
【００６４】
【図１ａ】本発明の第１の実現態様及び第２の実現態様による、本発明が実施される無線セルラー通信ネットワークを表す図である。
【図１ｂ】本発明の第３の実現態様による、本発明が実施される無線セルラー通信ネットワークを表す図である。
【図２】本発明が実施されるホーム基地局のアーキテクチャを表す図である。
【図３】本発明の第１の実現態様による、ホーム基地局によって実行されるアルゴリズムを開示する図である。
【図４】本発明の第２の実現態様による、ホーム基地局によって実行されるアルゴリズムを開示する図である。
【図５】本発明の第３の実現態様による、ホーム基地局によって実行されるアルゴリズムを開示する図である。
【発明を実施するための形態】
【００６５】
図１ａは、本発明の第１の実現態様及び第２の実現態様による、本発明が実施される無線セルラー通信ネットワークを表している。
【００６６】
図１ａには、無線セルラー通信ネットワークの１つの基地局ＢＳ及び複数のホーム基地局ＨＢＳ１〜ＨＢＳ４が示されている。
【００６７】
１つの基地局ＢＳ及び４つのホーム基地局ＨＢＳ１〜ＨＢＳ４しか示されていないが、より多くの（more important）数の基地局ＢＳ及び／又はホーム基地局ＨＢＳが存在する場合にも本発明が機能することを理解することができる。
【００６８】
基地局ＢＳは、例えば、該基地局ＢＳのセルＣＥに位置する各移動端末にサービングする無線セルラー通信ネットワークの基地局である。
【００６９】
明確にするために、図１ａには、２つの移動端末ＭＴ１及びＭＴ２しか示されていない。
【００７０】
例えば、移動端末ＭＴ１は、ホーム基地局ＨＢＳ１のセルＣＥＨ１に位置し、ホーム基地局ＨＢＳ４のセルＣＥＨ４に移動しつつある。
【００７１】
例えば、移動端末ＭＴ２は、ホーム基地局ＨＢＳ４のセルＣＥＨ４に位置し、ホーム基地局ＨＢＳ１のセルＣＥＨ１に移動しつつある。
【００７２】
ホーム基地局ＨＢＳ１〜ＨＢＳ４は、フェムト基地局若しくはピコ基地局又は中継器とも呼ばれる。例えば、中継器は、基地局ＢＳとの無線リンクを介して無線セルラー通信ネットワークに接続されるホーム基地局ＨＢＳである。
【００７３】
各ホーム基地局ＨＢＳ１〜ＨＢＳ４は、例えば、住宅内に配置され、該ホーム基地局ＨＢＳ１〜ＨＢＳ４に関連付けられた移動端末ＭＴが無線セルラー通信ネットワークにアクセスすることを可能にすることができる。
【００７４】
例えば、ホーム基地局ＨＢＳ１〜ＨＢＳ４は同じ建物内に配置される。
【００７５】
例えば、ホーム基地局ＨＢＳが移動端末ＭＴの所有者のものである場合や、ホーム基地局ＨＢＳが移動端末ＭＴの所有者の家族若しくは友人のものである場合には、ホーム基地局ＨＢＳと移動端末ＭＴとは関連付けられる。
【００７６】
移動端末ＭＴが基地局ＢＳ又はホーム基地局ＨＢＳによってサービングされているとき、その移動端末ＭＴは、基地局ＢＳ又はホーム基地局ＨＢＳを通じて遠隔の通信デバイスとの通信を受信又は確立又は継続することができる。
【００７７】
移動端末ＭＴがホーム基地局ＨＢＳに関連付けられているとき、移動端末ＭＴはホーム基地局ＨＢＳのＣＳＧに属するか、又はホーム基地局ＨＢＳは移動端末ＭＴのＣＳＧリストに属する。
【００７８】
基地局ＢＳは、エリアＣＥに位置する各移動端末ＭＴによって転送された信号を受信することができる。基地局ＢＳは、セルＣＥに位置する各移動端末ＭＴが受信して処理することができる信号を転送する。
【００７９】
図１ａの例では、基地局ＢＳは１つのセルＣＥしか有しない。本発明は、基地局ＢＳが複数のセルを有する場合にも適用可能である。その場合、本発明は、基地局ＢＳのセルごとに独立して適用される。
【００８０】
図１ｂの例では、各ホーム基地局ＨＢＳは、１つのセルＣＥＨしか有しない。本発明は、１つ又は複数のホーム基地局ＨＢＳが複数のセルを有する場合にも適用可能である。その場合、本発明は、各ホーム基地局ＨＢＳのセルごとに独立して適用される。
【００８１】
ホーム基地局ＨＢＳ１は、セルＣＥＨ１に位置する各移動端末ＭＴによって転送された信号を受信することができる。ホーム基地局ＨＢＳ１は、セルＣＥＨ１に位置する各移動端末ＭＴが受信して処理することができる信号を転送する。
【００８２】
ホーム基地局ＨＢＳ２は、セルＣＥＨ２に位置する各移動端末ＭＴによって転送された信号を受信することができる。ホーム基地局ＨＢＳ２は、セルＣＥＨ２に位置する各移動端末ＭＴが受信して処理することができる信号を転送する。
【００８３】
ホーム基地局ＨＢＳ３は、セルＣＥＨ３に位置する各移動端末ＭＴによって転送された信号を受信することができる。ホーム基地局ＨＢＳ３は、セルＣＥＨ３に位置する各移動端末ＭＴが受信して処理することができる信号を転送する。
【００８４】
ホーム基地局ＨＢＳ４は、セルＣＥＨ４に位置する各移動端末ＭＴによって転送された信号を受信することができる。ホーム基地局ＨＢＳ４は、セルＣＥＨ４に位置する各移動端末ＭＴが受信して処理することができる信号を転送する。
【００８５】
ホーム基地局ＨＢＳは、基地局ＢＳのセルＣＥに含まれる。
【００８６】
ホーム基地局ＨＢＳはセルＣＥ内に配置されているので、ホーム基地局ＨＢＳの各セルＣＥＨ内の干渉レベルは高く、各セルＣＥＨに位置する移動端末は、基地局ＢＳによって転送された信号を受信することができない場合がある。
【００８７】
移動端末ＭＴ１は、ホーム基地局ＨＢＳ１のセルＣＥＨ１に位置する。移動端末ＭＴ１は、アイドルモードにあり、ホーム基地局ＨＢＳ１及びＨＢＳ４に関連付けられていない。
【００８８】
移動端末ＭＴ２は、ホーム基地局ＨＢＳ４のセルＣＥＨ４に位置する。移動端末ＭＴ２は、アイドルモードにあり、ホーム基地局ＨＢＳ１及びＨＢＳ４に関連付けられていない。
【００８９】
移動端末は、遠隔の通信デバイスと通信を行っていないとき、アイドルモードにある。
【００９０】
本発明の第１の実現態様及び第２の実現態様によれば、ホーム基地局ＨＢＳ１〜ＨＢＳ４は、通信ネットワークを通じて互いに接続されていない。
【００９１】
移動端末ＭＴ１又はＭＴ２が、接続を自律的に開始するために、又は呼び出しの後に、無線セルラー通信ネットワークへの接続を試みるとき、移動端末ＭＴ１又はＭＴ２はホーム基地局ＨＢＳ１又はＨＢＳ４に関連付けられていないので、ホーム基地局ＨＢＳ１又はＨＢＳ４によって拒絶され、高すぎる干渉のために基地局ＢＳに接続することができない。
【００９２】
本発明によれば、ホーム基地局ＨＢＳは、
‐第３のトラッキングエリア（第１のトラッキングエリア及び第２のトラッキングエリアとは異なるトラッキングエリア。基地局及びホーム基地局は、この第３のトラッキングエリアに属しない）を識別する信号を、無線インターフェースを通じて転送し、
‐第３のトラッキングエリアを識別する転送された信号に応答して、信号が移動端末から受信されたか否かを確認し、
‐信号が移動端末から応答して受信された場合には、セル間干渉調整手順に入る。
【００９３】
図１ｂは、本発明の第３の実現態様による、本発明が実施される無線セルラー通信ネットワークを表している。
【００９４】
図１ｂには、無線セルラー通信ネットワークの１つの基地局ＢＳ及び複数のホーム基地局ＨＢＳ１〜ＨＢＳ４が示されている。
【００９５】
１つの基地局ＢＳ及び４つのホーム基地局ＨＢＳ１〜ＨＢＳ４しか示されていないが、より多くの数の基地局ＢＳ及び／又はホーム基地局ＨＢＳが存在する場合にも本発明が機能することを理解することができる。
【００９６】
基地局ＢＳは、例えば、該基地局ＢＳのセルＣＥに位置する移動端末にサービングする無線セルラー通信ネットワークの基地局である。
【００９７】
明確にするために、図１ｂには、２つの移動端末ＭＴ１及びＭＴ２しか示されていない。
【００９８】
例えば、移動端末ＭＴ１は、ホーム基地局ＨＢＳ１のセルＣＥＨ１に位置し、ホーム基地局ＨＢＳ４のセルＣＥＨ４に移動しつつある。
【００９９】
例えば、移動端末ＭＴ２は、ホーム基地局ＨＢＳ４のセルＣＥＨ４に位置し、ホーム基地局ＨＢＳ１のセルＣＥＨ１に移動しつつある。
【０１００】
ホーム基地局ＨＢＳ１〜ＨＢＳ４は、フェムト基地局若しくはピコ基地局又は中継器とも呼ばれる。例えば、中継器は、基地局ＢＳとの無線リンクを介して無線セルラー通信ネットワークに接続されるホーム基地局ＨＢＳである。
【０１０１】
各ホーム基地局ＨＢＳ１〜ＨＢＳ４は、例えば、住宅内に配置され、該ホーム基地局ＨＢＳに関連付けられた移動端末ＭＴが無線セルラー通信ネットワークにアクセスすることを可能にすることができる。
【０１０２】
例えば、ホーム基地局ＨＢＳ１〜ＨＢＳ４は同じ建物内に配置される。
【０１０３】
例えば、ホーム基地局ＨＢＳが移動端末ＭＴの所有者のものである場合や、ホーム基地局ＨＢＳが移動端末ＭＴの所有者の家族若しくは友人のものである場合には、ホーム基地局ＨＢＳと移動端末ＭＴとは関連付けられる。
【０１０４】
移動端末ＭＴが基地局ＢＳ又はホーム基地局ＨＢＳによってサービングされているとき、その移動端末ＭＴは、基地局ＢＳ又はホーム基地局ＨＢＳを通じて遠隔の通信デバイスとの通信を受信又は確立又は継続することができる。
【０１０５】
移動端末ＭＴがホーム基地局ＨＢＳに関連付けられているとき、移動端末ＭＴはホーム基地局ＨＢＳのＣＳＧに属するか、又はホーム基地局ＨＢＳは移動端末ＭＴのＣＳＧリストに属する。
【０１０６】
基地局ＢＳは、エリアＣＥに位置する移動端末ＭＴ１及びＭＴ２によって転送された信号を受信することができる。基地局ＢＳは、セルＣＥに位置する移動端末ＭＴが受信して処理することができる信号を転送する。図１ｂの例では、基地局ＢＳは１つのセルＣＥしか有しない。
【０１０７】
本発明は、基地局ＢＳが複数のセルを有する場合にも適用可能である。その場合、本発明は、基地局ＢＳのセルごとに独立して適用される。
【０１０８】
図１ｂの例では、各ホーム基地局ＨＢＳは、１つのセルＣＥＨしか有しない。本発明は、１つ又は複数のホーム基地局ＨＢＳが複数のセルを有する場合にも適用可能である。その場合、本発明は、各ホーム基地局ＨＢＳのセルごとに独立して適用される。
【０１０９】
ホーム基地局ＨＢＳ１は、セルＣＥＨ１に位置する各移動端末ＭＴによって転送された信号を受信することができる。ホーム基地局ＨＢＳ１は、セルＣＥＨ１に位置する各移動端末ＭＴが受信して処理することができる信号を転送する。
【０１１０】
ホーム基地局ＨＢＳ２は、セルＣＥＨ２に位置する各移動端末ＭＴによって転送された信号を受信することができる。ホーム基地局ＨＢＳ２は、セルＣＥＨ２に位置する各移動端末ＭＴが受信して処理することができる信号を転送する。
【０１１１】
ホーム基地局ＨＢＳ３は、セルＣＥＨ３に位置する各移動端末ＭＴによって転送された信号を受信することができる。ホーム基地局ＨＢＳ３は、セルＣＥＨ３に位置する各移動端末ＭＴが受信して処理することができる信号を転送する。
【０１１２】
ホーム基地局ＨＢＳ４は、セルＣＥＨ４に位置する各移動端末ＭＴによって転送された信号を受信することができる。ホーム基地局ＨＢＳ４は、セルＣＥＨ４に位置する各移動端末ＭＴが受信して処理することができる信号を転送する。
【０１１３】
ホーム基地局ＨＢＳは、基地局ＢＳのセルＣＥに含まれる。
【０１１４】
ホーム基地局ＨＢＳはセルＣＥ内に配置されているので、ホーム基地局ＨＢＳの各セルＣＥＨ内の干渉レベルは高く、各セルＣＥＨに位置する各移動端末は、基地局ＢＳによって転送された信号を受信することができない場合がある。
【０１１５】
移動端末ＭＴ１は、ホーム基地局ＨＢＳ１のセルＣＥＨ１に位置する。移動端末ＭＴ１は、アイドルモードにあり、ホーム基地局ＨＢＳ１及びＨＢＳ４に関連付けられていない。
【０１１６】
移動端末ＭＴ２は、ホーム基地局ＨＢＳ４のセルＣＥＨ４に位置する。移動端末ＭＴ２は、アイドルモードにあり、ホーム基地局ＨＢＳ１及びＨＢＳ４に関連付けられていない。
【０１１７】
本発明の第３の実現態様によれば、ホーム基地局ＨＢＳ１〜ＨＢＳ４は、通信ネットワークＮＴを通じて互いに接続されている。通信ネットワークＮＴは、無線セルラー通信ネットワークの一部であってもよく、無線セルラー通信ネットワークとは異なるものであってもよい。
【０１１８】
通信ネットワークＮＴは、例えば、インターネットネットワーク若しくはＩＳＤＮ（統合サービスデジタルネットワーク）ネットワークであるか、又はホーム基地局ＨＢＳ等をリンクする無線リンクからなる。
【０１１９】
移動端末ＭＴ１又はＭＴ２が、接続を自律的に開始するために、又は呼び出しの後に、無線セルラー通信ネットワークへの接続を試みるとき、移動端末ＭＴ１又はＭＴ２は、ホーム基地局ＨＢＳ１又はＨＢＳ４に関連付けられていないのでホーム基地局ＨＢＳ１又はＨＢＳ４によって拒絶され、高すぎる干渉のために基地局ＢＳに接続することができない。
【０１２０】
本発明によれば、ホーム基地局は、
‐第３のトラッキングエリア（第１のトラッキングエリア及び第２のトラッキングエリアとは異なるトラッキングエリア。基地局及びホーム基地局は、この第３のトラッキングエリアに属しない）を識別する信号を、無線インターフェースを通じて転送し、
‐第３のトラッキングエリアを識別する転送された信号に応答して、信号が移動端末から受信されたか否かを確認し、
‐ホーム基地局がセル間干渉調整手順に入りつつあることを、基地局のセルに配置された他のホーム基地局に通知し、
‐信号が移動端末から応答して受信された場合には、セル間干渉調整手順に入る。
【０１２１】
図２は、本発明が実施されるホーム基地局のアーキテクチャを表す図である。
【０１２２】
ホーム基地局ＨＢＳは、例えば、バス２０１によって互いに接続される構成要素に基づくアーキテクチャと、図３又は図４又は図５に開示されるようなプログラムによって制御されるプロセッサ２００とを有する。
【０１２３】
バス２０１は、プロセッサ２００を、読み出し専用メモリＲＯＭ２０２と、ランダムアクセスメモリＲＡＭ２０３と、無線インターフェース２０５と、ネットワークインターフェース２０６とにリンクする。
【０１２４】
メモリ２０３は、変数を収容するように意図されたレジスタと、図３又は図４又は図５に開示するようなアルゴリズムに関連したプログラムの命令とを含む。
【０１２５】
プロセッサ２００は、ネットワークインターフェース２０６の動作と無線インターフェース２０５の動作とを制御する。
【０１２６】
読み出し専用メモリ２０２は、図３又は図４又は図５に開示するようなアルゴリズムに関連したプログラムの命令を含む。これらの命令は、ホーム基地局ＨＢＳに電源が投入されると、ランダムアクセスメモリ２０３に転送される。
【０１２７】
ホーム基地局ＨＢＳは、ネットワークインターフェース２０６を通じて無線セルラー通信ネットワークの通信ネットワークに接続され、また、第３の実現態様によれば、ネットワークＮＴ（無線セルラー通信ネットワークに含まれる場合も含まれない場合もある）に接続される。
【０１２８】
例えば、ネットワークインターフェース２０６は、ＤＳＬ（デジタル加入者線）モデム又はＩＳＤＮ（統合サービスデジタルネットワーク）インターフェースである。
【０１２９】
ネットワークインターフェース２０６を通じて、ホーム基地局ＨＢＳは、進行中の通信を転送することができる。
【０１３０】
本発明の第３の実現態様によれば、ホーム基地局ＨＢＳは、基地局ＢＳを介して又は介さずに、他のホーム基地局へメッセージを転送することができ又は他のホーム基地局からメッセージを受信することができる。ホーム基地局ＨＢＳどうしの間のリンクは、例えばＸ２リンクと呼ばれる。
【０１３１】
ネットワークＮＴは、一変形形態では、無線ネットワークとすることができる。その場合、メッセージは、無線インターフェース２０５を通じて転送される。ネットワークＮＴの一部は通信ネットワークに含まれる場合があり、その場合ネットワークＮＴの他の部分は無線である。
【０１３２】
無線インターフェース２０５及びネットワークインターフェース２０６は、ホーム基地局ＨＢＳのリソースであり、移動端末が遠隔の通信デバイスとの通信を確立又は受信するときに無線セルラー通信ネットワークにアクセスするために、移動端末によって用いられる。
【０１３３】
図３は、本発明の第１の実現態様による、ホーム基地局によって実行されるアルゴリズムを開示している。
【０１３４】
本アルゴリズムは、ホーム基地局ＨＢＳ１〜ＨＢＳ４それぞれによって実行される。
【０１３５】
本アルゴリズムは、ホーム基地局ＨＢＳ１によって実行されるときのものが開示される。
【０１３６】
ステップＳ３００において、ホーム基地局ＨＢＳのプロセッサ２００は、ＩＣＩＣ手順を中断するように無線インターフェース２０５に指令する。
【０１３７】
ＩＣＩＣ手順の間、移動端末ＭＴが基地局ＢＳによって転送された信号を受信できるようにするために、ダウンリンクのフレーム又はサブフレームを定期的に転送する代わりに、フレーム若しくはサブフレームのうちの幾つかは転送されないか若しくはミュートされ、かつ／又は、無線インターフェース２０５によって転送される信号の送信電力は低減される。
【０１３８】
次のステップＳ３０１において、プロセッサ２００は、ホーム基地局ＨＢＳ１が属するトラッキングエリアを識別する信号を転送するように無線インターフェース２０５に指令する。
【０１３９】
ホーム基地局ＨＢＳ１が属するトラッキングエリアは、ホーム基地局ＨＢＳ２〜ＨＢＳ４のうちの少なくとも１つのトラッキングエリアと異なる場合もあるし、ホーム基地局ＨＢＳ１が属するトラッキングエリアは、ホーム基地局ＨＢＳ２〜ＨＢＳ４それぞれのトラッキングエリアと同じ場合もある。
【０１４０】
ホーム基地局ＨＢＳ１が属するトラッキングエリアは、基地局ＢＳのトラッキングエリアと異なる場合もあるし、ホーム基地局ＨＢＳ１が属するトラッキングエリアは、基地局ＢＳのトラッキングエリアと同じ場合もある。
【０１４１】
次のステップＳ３０２において、プロセッサ２００は、基地局ＢＳ及びホーム基地局ＨＢＳ１が属しない別のトラッキングエリアを識別する信号を転送するように無線インターフェース２０５に指令する。
【０１４２】
転送される信号は、トラッキングエリアを識別するのに必要な信号であるが、移動端末がランダムアクセス信号（ＲＡＣＨ信号）を送信するための信号でもある。転送される信号は、例えば、同期信号、基準信号、システム情報、制御チャネル（ただしシステム情報を検出するのに制御シグナリングが必要とされる場合）である。
【０１４３】
移動端末ＭＴは、該移動端末ＭＴが位置すると想定されるトラッキングエリアと異なるトラッキングエリアを識別する信号を受信すると、それに応答してＲＡＣＨ信号を送信する。
【０１４４】
ステップＳ３０２において転送された信号は、移動端末ＭＴが、ステップＳ３０２において転送された信号に応答していずれのリソースでＲＡＣＨ信号を転送しなければならないのかを示す情報を含む。リソースは、移動端末ＭＴによって用いられる時間リソース及び／又は周波数リソース及び／又は符号リソースとすることができる。
【０１４５】
ここで、以下のことに留意しなければならない：示されたリソースは、ホーム基地局ＨＢＳ１が属するトラッキングエリアを識別する信号の転送に応答するために該ホーム基地局ＨＢＳ１が示す可能性のあるリソースとは異なり、また、基地局ＢＳが、該基地局ＢＳのトラッキングエリアを識別する信号の転送に応答するために示す可能性のあるリソースとも異なる。
【０１４６】
同期を危うくしないようにするために、ステップＳ３０２において転送される信号は、ステップＳ３０１において転送された信号から時間をシフトさせることができる。
【０１４７】
次のステップＳ３０３において、プロセッサ２００は、示されたリソース上で信号を監視するように無線インターフェース２０５に指令する。
【０１４８】
次のステップＳ３０４において、プロセッサ２００は、ＲＡＣＨ信号が、示されたリソース上で無線インターフェース２０５によって受信されたか否かを確認する。
【０１４９】
ＲＡＣＨ信号が、示されたリソース上で無線インターフェースによって受信された場合、プロセッサ２００はステップＳ３０５に移動する。そうでない場合、プロセッサ２００はステップＳ３０１に戻る。
【０１５０】
ステップＳ３０５において、プロセッサ２００は、ＩＣＩＣ手順を開始するように無線インターフェース２０５に指令する。
【０１５１】
ＩＣＩＣ手順の間、移動端末ＭＴが基地局ＢＳによって転送された信号を受信できるようにするために、ダウンリンクのフレーム又はサブフレームを定期的に転送する代わりに、フレーム若しくはサブフレームのうちの幾つかは転送されないか若しくはミュートされ、かつ／又は、無線インターフェース２０５によって転送される信号の送信電力は低減される。
【０１５２】
次のステップＳ３０６において、プロセッサ２００は、ホーム基地局ＨＢＳ１が属するトラッキングエリアを識別する信号を転送するように無線インターフェース２０５に指令する。
【０１５３】
次のステップＳ３０７において、プロセッサ２００は、基地局ＢＳ及びホーム基地局ＨＢＳ１が属しないトラッキングエリアを識別する信号の転送を中断するように無線インターフェース２０５に指令する。
【０１５４】
次のステップＳ３０８において、プロセッサ２００は、ステップＳ３０２において示されたリソース上で信号を監視するように無線インターフェース２０５に指令する。
【０１５５】
次のステップＳ３０９において、プロセッサ２００は、ＲＡＣＨ信号が、示されたリソース上で無線インターフェース２０５によって受信されたか否かを確認する。
【０１５６】
ＲＡＣＨ信号が、示されたリソース上で無線インターフェースによって受信された場合、プロセッサ２００はステップＳ３１０に移動する。そうでない場合、プロセッサ２００はステップＳ３０６に戻る。
【０１５７】
ＲＡＣＨ信号が、示されたリソース上で無線インターフェースによって受信された場合、これは、別のホーム基地局ＨＢＳによって転送された信号であって基地局ＢＳ及びホーム基地局ＨＢＳ１が属しないトラッキングを識別するものを、移動端末ＭＴが受信したことを意味する。
【０１５８】
そのような場合は、移動端末ＭＴがホーム基地局ＨＢＳ１のセルＣＥＨ１を去りつつあり、近隣の(neighbour)ホーム基地局ＨＢＳのセルに入るときに起こる。
【０１５９】
例えば、移動端末ＭＴ１は、ホーム基地局ＨＢＳ１のセルＣＥＨ１を去りつつあり、ホーム基地局ＨＢＳ４のセルＣＥＨ４に入る。
【０１６０】
ＲＡＣＨ信号がステップＳ３０９において検出されない限り、移動端末ＭＴが基地局ＢＳによって転送された信号を受信することができるようにするためにＩＣＩＣ手順が起動される。
【０１６１】
ステップＳ３１０において、プロセッサ２００は、ステップＳ３００からステップＳ３０４へ、ステップＳ３０５へ、そしてステップＳ３０９への切り替えの周期性(periodicity)が低すぎるか否かを確認する。
【０１６２】
例えば、ステップＳ３００からステップＳ３０４へ、ステップＳ３０５へ、そしてステップＳ３０９への切り替えの周期性が１秒未満である場合、周期性は低すぎるとみなされる。
【０１６３】
そのような場合は、移動端末がホーム基地局ＨＢＳ１のセルと近隣のホーム基地局のセルとの間の境界に位置するとき、別の移動端末ＭＴが近隣のホーム基地局のセルに入りつつあるときに起こる。
【０１６４】
例えば、移動端末ＭＴ１は、セルＣＥＨ１とセルＣＥＨ４との境界に位置し、ホーム基地局ＨＢＳ１及びＨＢＳ４によって転送された信号に応答する。セル間干渉調整手順は、セルＣＥＨ１において進行中である。
【０１６５】
移動端末ＭＴ２がホーム基地局ＨＢＳ４のカバレッジ下で、しかもホーム基地局ＨＢＳ１の近くに現れると、移動端末ＭＴ２は、ホーム基地局ＨＢＳ１及びＨＢＳ４の双方によって受信されるＲＡＣＨ信号を送信する。ホーム基地局ＨＢＳ１はセル間干渉調整手順を解除し、ホーム基地局ＨＢＳ４はセル間干渉調整手順に入る。一方、移動端末ＭＴ１は、ＩＣＩＣがホーム基地局ＨＢＳ１においてオフに切り替えられたことに起因して、基地局ＢＳによって転送された信号をもはや受信しない。したがって、移動端末ＭＴ１はＲＡＣＨ信号を送信し、ホーム基地局ＨＢＳ１はセル間干渉調整手順に入り、ホーム基地局ＨＢＳ４はセル間干渉調整手順を解除する。移動端末ＭＴ２は、基地局ＢＳによって転送された信号をもはや受信せず、ＲＡＣＨ信号を送信する。ホーム基地局ＨＢＳ１はセル間干渉調整手順を解除し、ホーム基地局ＨＢＳ４はセル間干渉調整手順に入る。以下同様のことが行われる。
【０１６６】
ステップＳ３００からステップＳ３０４へ、ステップＳ３０５へ、そしてステップＳ３０９への切り替えの周期性が低すぎる場合、プロセッサ２００はステップＳ３０６に戻る。そうでない場合、プロセッサ２００はステップＳ３００に戻る。
【０１６７】
ここで、プロセッサ２００は、１つの移動端末ＭＴが基地局ＢＳと現在通信しているか否かを検出するために、ステップＳ３００に戻る前に、ホーム基地局ＨＢＳ１のＣＳＧに属しないか又は移動端末のＣＳＧリストにホーム基地局ＨＢＳ１を有しない各移動端末によって転送されたアップリンク信号の電力を監視するように、無線インターフェース２０５に指令することができることに留意しなければならない。
【０１６８】
プロセッサ２００は、１つの移動端末ＭＴが基地局ＢＳと通信している限り、ステップＳ３００に戻るのを待つ。
【０１６９】
ここで、ステップＳ３１０において実行される周期性の確認は、本発明の第３の実現態様においても実施することができることに留意しなければならない。
【０１７０】
図４は、本発明の第２の実現態様による、ホーム基地局によって実行されるアルゴリズムを開示している。
【０１７１】
本アルゴリズムは、ホーム基地局ＨＢＳ１〜ＨＢＳ４それぞれによって実行される。
【０１７２】
本アルゴリズムは、ホーム基地局ＨＢＳ１によって実行されるときのものが開示される。
【０１７３】
ステップＳ４００において、ホーム基地局ＨＢＳ１のプロセッサ２００は、ＩＣＩＣ手順を中断するように無線インターフェース２０５に指令する。
【０１７４】
ＩＣＩＣ手順の間、移動端末ＭＴが基地局ＢＳによって転送された信号を受信できるようにするために、ダウンリンクのフレーム又はサブフレームを定期的に転送する代わりに、フレーム若しくはサブフレームのうちの幾つかは転送されないか若しくはミュートされ、かつ／又は、無線インターフェース２０５によって転送される信号の送信電力は低減される。
【０１７５】
次のステップＳ４０１において、プロセッサ２００は、ホーム基地局ＨＢＳ１が属するトラッキングエリアを識別する信号を転送するように無線インターフェース２０５に指令する。
【０１７６】
ホーム基地局ＨＢＳ１が属するトラッキングエリアは、ホーム基地局ＨＢＳ２〜ＨＢＳ４のうちの少なくとも１つのトラッキングエリアと異なる場合もあるし、ホーム基地局ＨＢＳ１が属するトラッキングエリアは、各ホーム基地局ＨＢＳ２〜ＨＢＳ４のトラッキングエリアと同じ場合もある。
【０１７７】
ホーム基地局ＨＢＳ１が属するトラッキングエリアは、基地局ＢＳのトラッキングエリアと異なる場合もあるし、ホーム基地局ＨＢＳ１が属するトラッキングエリアは、基地局ＢＳのトラッキングエリアと同じ場合もある。
【０１７８】
次のステップＳ４０２において、プロセッサ２００は、基地局ＢＳ及びホーム基地局ＨＢＳ１が属しない別のトラッキングエリアを識別する信号を転送するように無線インターフェース２０５に指令する。
【０１７９】
転送される信号は、トラッキングエリアを識別するのに必要な信号であるが、移動端末がランダムアクセス信号（ＲＡＣＨ信号）を送信するための信号でもある。転送される信号は、例えば、同期信号、基準信号、システム情報、制御チャネル（ただしシステム情報を検出するのに制御シグナリングが必要とされる場合）である。
【０１８０】
移動端末ＭＴは、該移動端末ＭＴが位置すると想定されるトラッキングエリアと異なるトラッキングエリアを識別する信号を受信すると、それに応答してＲＡＣＨ信号を送信する。
【０１８１】
ステップＳ４０２において転送された信号は、移動端末ＭＴが、ステップＳ４０２において転送された信号に応答していずれのリソースでＲＡＣＨ信号を転送しなければならないのかを示す情報を含む。リソースは、移動端末ＭＴによって用いられる時間リソース及び／又は周波数リソース及び／又は符号リソースとすることができる。
【０１８２】
ここで、次のことに留意しなければならない：示されたリソースは、ホーム基地局ＨＢＳ１が属するトラッキングエリアを識別する信号の転送に応答するために該ホーム基地局ＨＢＳ１が示す可能性のあるソースとは異なり、また、基地局ＢＳが属するトラッキングエリアを識別する信号の転送に応答するために該基地局ＢＳが示す可能性のあるリソースとも異なる。
【０１８３】
同期を危うくしないようにするために、ステップＳ４０２において転送される信号は、ステップＳ４０１において転送された信号から時間をシフトさせることができる。
【０１８４】
次のステップＳ４０３において、プロセッサ２００は、示されたリソース上で信号を監視するように無線インターフェース２０５に指令する。
【０１８５】
次のステップＳ４０４において、プロセッサ２００は、ＲＡＣＨ信号が、示されたリソース上で無線インターフェース２０５によって受信されたか否かを確認する。
【０１８６】
ＲＡＣＨ信号が、示されたリソース上で無線インターフェースによって受信された場合、プロセッサ２００はステップＳ４０５に移動する。そうでない場合、プロセッサ２００はステップＳ４０１に戻る。
【０１８７】
ステップＳ４０５において、プロセッサ２００は、ＩＣＩＣ手順を開始するように無線インターフェース２０５に指令し、タイマーＴを起動する。
【０１８８】
ＩＣＩＣ手順の間、移動端末ＭＴが基地局ＢＳによって転送された信号を受信できるようにするために、ダウンリンクのフレーム又はサブフレームを定期的に転送する代わりに、フレーム若しくはサブフレームのうちの幾つかは転送されないか若しくはミュートされ、かつ／又は、無線インターフェース２０５によって転送される信号の送信電力は低減される。
【０１８９】
次のステップＳ４０６において、プロセッサ２００は、ホーム基地局ＨＢＳ１が属するトラッキングエリアを識別する信号を転送するように無線インターフェース２０５に指令する。
【０１９０】
次のステップＳ４０７において、プロセッサ２００は、基地局ＢＳ及びホーム基地局ＨＢＳ１が属しないトラッキングエリアを識別する信号の転送を中断するように無線インターフェース２０５に指令する。
【０１９１】
ステップＳ４０８において、プロセッサ２００は、ステップＳ４０５において起動されたタイマーＴが経過したか(elapsed)否かを確かめる。
【０１９２】
ステップＳ４０５において起動されたタイマーＴが経過していない場合、プロセッサ２００はステップＳ４０６に戻る。経過している場合、プロセッサ２００はステップＳ４００に戻る。
【０１９３】
ここで、本発明の第１の実現態様及び第３の実現態様では、所定の継続時間の後のＩＣＩＣ手順の中断も適用することができることに留意しなければならない。
【０１９４】
ここで、プロセッサ２００は、１つの移動端末が基地局ＢＳと現在通信しているか否かを検出するために、ステップＳ４００に戻る前に、ホーム基地局ＨＢＳ１のＣＳＧに属しないか又は各移動端末のＣＳＧリストにホーム基地局ＨＢＳ１を有しない各移動端末によって転送されたアップリンク信号の電力を監視するように無線インターフェース２０５に指令することができることに留意しなければならない。
【０１９５】
プロセッサ２００は、１つの移動端末ＭＴが基地局ＢＳと通信している限り、ステップＳ４００に戻るのを待つ。
【０１９６】
図５は、本発明の第３の実現態様による、ホーム基地局によって実行されるアルゴリズムを開示している。
【０１９７】
本アルゴリズムは、ホーム基地局ＨＢＳ１〜ＨＢＳ４それぞれによって実行される。
【０１９８】
本アルゴリズムは、ホーム基地局ＨＢＳ１によって実行されるときのものが開示される。
【０１９９】
ステップＳ５００において、ホーム基地局ＨＢＳ１のプロセッサ２００は、ＩＣＩＣ手順を中断するように無線インターフェース２０５に指令する。
【０２００】
ＩＣＩＣ手順の間、移動端末ＭＴが基地局ＢＳによって転送された信号を受信できるようにするために、ダウンリンクのフレーム又はサブフレームを定期的に転送する代わりに、フレーム若しくはサブフレームのうちの幾つかは転送されないか若しくはミュートされ、かつ／又は、無線インターフェース２０５によって転送される信号の送信電力は低減される。
【０２０１】
次のステップＳ５０１において、プロセッサ２００は、ホーム基地局ＨＢＳ１のトラッキングエリアを識別する信号を転送するように無線インターフェース２０５に指令する。
【０２０２】
ホーム基地局ＨＢＳ１が属するトラッキングエリアは、ホーム基地局ＨＢＳ２〜ＨＢＳ４のうちの少なくとも１つのトラッキングエリアと異なる場合もあるし、ホーム基地局ＨＢＳ１が属するトラッキングエリアは、各ホーム基地局ＨＢＳ２〜ＨＢＳ４のトラッキングエリアと同じ場合もある。
【０２０３】
ホーム基地局ＨＢＳ１が属するトラッキングエリアは、基地局ＢＳのトラッキングエリアと異なる場合もあるし、ホーム基地局ＨＢＳ１が属するトラッキングエリアは、基地局ＢＳのトラッキングエリアと同じ場合もある。
【０２０４】
次のステップＳ５０２において、プロセッサ２００は、基地局ＢＳ及びホーム基地局ＨＢＳ１が属しない別のトラッキングエリアを識別する信号を転送するように無線インターフェース２０５に指令する。
【０２０５】
転送される信号は、トラッキングエリアを識別するのに必要な信号であるが、移動端末がランダムアクセス信号（ＲＡＣＨ信号）を送信するための信号でもある。転送される信号は、例えば、同期信号、基準信号、システム情報、制御チャネル（ただしシステム情報を検出するのに制御シグナリングが必要とされる場合）である。
【０２０６】
移動端末ＭＴは、該移動端末ＭＴが位置すると想定されるトラッキングエリアと異なるトラッキングエリアを識別する信号を受信すると、それに応答してＲＡＣＨ信号を送信する。
【０２０７】
ステップＳ５０２において転送された信号は、移動端末ＭＴがいずれのリソースでＲＡＣＨ信号を転送しなければならないのかを示す情報を含む。リソースは、移動端末ＭＴによって用いられる時間リソース及び／又は周波数リソース及び／又は符号リソースとすることができる。
【０２０８】
ここで、次のことに留意しなければならない：示されたリソースは、ホーム基地局ＨＢＳ１が属するトラッキングエリアを識別する信号の転送に応答するために該ホーム基地局ＨＢＳ１が示す可能性のあるリソースとは異なり、また、基地局ＢＳが属するトラッキングエリアを識別する信号の転送に応答するために該基地局ＢＳが示す可能性のあるリソースとも異なる。
【０２０９】
同期を危うくしないようにするために、ステップＳ５０２において転送される信号は、ステップＳ５０１において転送された信号から時間をシフトさせることができる。
【０２１０】
次のステップＳ５０３において、プロセッサ２００は、示されたリソース上で信号を監視するように無線インターフェース２０５に指令する。
【０２１１】
次のステップＳ５０４において、プロセッサ２００は、ＲＡＣＨ信号が、示されたリソース上で無線インターフェース２０５によって受信されたか否かを確認する。
【０２１２】
ＲＡＣＨ信号が、示されたリソース上で無線インターフェースによって受信された場合、プロセッサ２００はステップＳ５０５に移動する。そうでない場合、プロセッサ２００はステップＳ５０１に戻る。
【０２１３】
ステップＳ５０５において、プロセッサ２００は、受信されたＲＡＣＨ信号の電力が所定の値よりも大きいか否かを確認する。
【０２１４】
受信されたＲＡＣＨ信号の電力が所定の値よりも大きい場合、これは、移動端末ＭＴがホーム基地局ＨＢＳ１に近いことを意味する。すなわち、ホーム基地局ＨＢＳ１によって移動端末ＭＴに対し引き起こされる干渉のレベルが高いこと、及び移動端末ＭＴが基地局ＢＳによって提供される信号を受信することができないことを意味する。これは、開ループ電力制御が移動端末によってＲＡＣＨ信号に対し適用されない場合に特に当てはまる。この場合、プロセッサ２００はステップＳ５０６に移動する。
【０２１５】
受信されたＲＡＣＨ信号の電力が、所定の値よりも大きくない場合、プロセッサ２００はステップＳ５０１に戻る。
【０２１６】
ここで、次のことに留意しなければならない：一実現変形形態では（好ましくは、開ループ電力制御が移動端末によってＲＡＣＨ信号に対し適用されるときに）、プロセッサ２００は、受信されたＲＡＣＨ信号の電力が所定の値よりも大きいか否かを確認する代わりに、近隣のホーム基地局によって受信されたＲＡＣＨ信号の電力値をネットワークＮＴを通じて受信し、ホーム基地局ＨＢＳ１によって受信された受信ＲＡＣＨ信号の電力が、近隣のホーム基地局ＨＢＳ２〜ＨＢＳ４によって受信されたＲＡＣＨ信号の電力値と比較してどれくらい高いのかを確認する。例えば、プロセッサ２００は、受信されたＲＡＣＨ信号の電力が、最も高いほうから所定数の受信ＲＡＣＨ信号電力のうちの１つであるか否かを確認し、又は、最も高い受信ＲＡＣＨ信号電力から所定のデシベル数内にあるか否かを確認する。
【０２１７】
一変形形態では、ステップＳ５０５は、本発明の第３の実現態様では実行されない。その変形形態では、受信されたＲＡＣＨ信号の電力が所定の値よりも大きい場合、プロセッサ２００はステップＳ５０４からステップＳ５０６に移動する。
【０２１８】
ここで、ステップＳ５０５において開示されたＲＡＣＨ受信電力の確認は、本発明の第１の実現態様及び第２の実現態様においても実行することができることに留意しなければならない。
【０２１９】
ステップＳ５０６において、プロセッサ２００は、ホーム基地局ＨＢＳ１がＩＣＩＣ手順を開始することを示すメッセージを、近隣のホーム基地局ＨＢＳ２〜ＨＢＳ４にネットワークＮＴを通じて転送することを指令する。
【０２２０】
このメッセージは、ＩＣＩＣ手順中にホーム基地局ＨＢＳ１によって用いられる電力パターン並びに／又は時間及び／若しくは周波数パターンを示す情報を更に含むことができる。
【０２２１】
このメッセージは、セル間干渉調整手順の開始をトリガーした移動端末（すなわちステップＳ５０３において受信されたＲＡＣＨ信号を転送した移動端末）の移動端末識別情報を更に含むことができる。
【０２２２】
ステップＳ５０７において、プロセッサ２００は、ＩＣＩＣ手順を開始するように無線インターフェース２０５に指令する。
【０２２３】
ＩＣＩＣ手順の間、ダウンリンクのフレーム又はサブフレームを定期的に転送する代わりに、移動端末ＭＴが基地局ＢＳによって転送された信号を受信することを可能にするために、フレーム若しくはサブフレームのうちの幾つかは転送されず、かつ／又は無線インターフェース２０５によって転送される信号の送信電力は低減される。
【０２２４】
次のステップＳ５０８において、プロセッサ２００は、ホーム基地局ＨＢＳ１のトラッキングエリアを識別する信号を転送するように無線インターフェース２０５に指令する。
【０２２５】
次のステップＳ５０９において、プロセッサ２００は、基地局ＢＳ及びホーム基地局ＨＢＳ１が属しないトラッキングエリアを識別する信号の転送を中断するように無線インターフェース２０５に指令する。
【０２２６】
次のステップＳ５１０において、プロセッサは、メッセージがネットワークインターフェース２０６を通じて１つの近隣のホーム基地局ＨＢＳから受信されたか否かを確認する。このメッセージは、近隣のホーム基地局ＨＢＳがＩＣＩＣ手順を開始することを示す。
【０２２７】
１つの近隣のホーム基地局がＩＣＩＣ手順を開始した場合、移動端末ＭＴがホーム基地局ＨＢＳ１のセルを去ったことを示す可能性がある。
【０２２８】
１つの近隣のホーム基地局がＩＣＩＣ手順を開始した場合、プロセッサ２００はステップＳ５００に戻る。そうでない場合、プロセッサ２００はステップＳ５０８に戻る。
【０２２９】
受信されたメッセージが、ＩＣＩＣ手順をトリガーした移動端末の移動端末識別情報を含む場合、ホーム基地局ＨＢＳ１は、移動端末識別情報のうちの１つが、該ホーム基地局ＨＢＳ１がそのセルＣＥＨ１に現在存在するとみなす移動端末の１つに対応するか否かを確認することができる。１つの近隣のホーム基地局が、ＩＣＩＣ手順を開始し、ホーム基地局ＨＢＳ１がそのカバレッジエリアに現在存在するとみなす移動端末の１つに対応する移動端末識別情報を含むメッセージを送信した場合、プロセッサ２００はステップＳ５００に戻る。そうでない場合、プロセッサ２００はステップＳ５０８に戻る。
【０２３０】
ここで、次のことに留意しなければならない：プロセッサ２００は、１つの移動端末ＭＴが基地局ＢＳと現在通信しているか否かを検出するために、ステップＳ５００に戻る前に、ホーム基地局ＨＢＳ１のＣＳＧに属しないか又は移動端末のＣＳＧリストにホーム基地局ＨＢＳ１を有しない該移動端末によって転送されたアップリンク信号の電力を監視するように無線インターフェース２０５に指令することができ、移動端末ＭＴが基地局ＢＳと通信している限り、ステップＳ５００に戻るのを待つ。
【０２３１】
当然のことながら、本発明の範囲から逸脱することなく、上述した本発明の実施形態に対して多くの変更を行うことができる。
【図１ａ】
2013031166.tif 000003
【図１ｂ】
2013031166.tif 000004
【図２】
2013031166.tif 000005
【図３】
2013031166.tif 000006
【図４】
2013031166.tif 000007
【図５】
2013031166.tif 000008
【外国語明細書】
2013031166.tif 000009
2013031166.tif 000010
2013031166.tif 000011
2013031166.tif 000012
2013031166.tif 000013
2013031166.tif 000014
2013031166.tif 000015
2013031166.tif 000016
2013031166.tif 000017
2013031166.tif 000018
2013031166.tif 000019
2013031166.tif 000020
2013031166.tif 000021
2013031166.tif 000022
2013031166.tif 000023
2013031166.tif 000024
2013031166.tif 000025
2013031166.tif 000026
2013031166.tif 000027
2013031166.tif 000028
2013031166.tif 000029
2013031166.tif 000030
2013031166.tif 000031
2013031166.tif 000032
2013031166.tif 000033
2013031166.tif 000034
2013031166.tif 000035
2013031166.tif 000036
2013031166.tif 000037
2013031166.tif 000038
2013031166.tif 000039
2013031166.tif 000040
2013031166.tif 000041
2013031166.tif 000042
2013031166.tif 000043
2013031166.tif 000044